(57)【特許請求の範囲】
【請求項１】
複数の広告主のチラシを顧客毎に選別して作成して配布するチラシ作成システムであって、
広告主のチラシ基本情報を登録するチラシ管理サーバと、
各広告主のチラシの商品情報と商品画像からチラシの原稿データを作成するか、または予め作成されたチラシの原稿データを登録するチラシ原稿登録サーバと、
各顧客の基本情報及びチラシの希望情報を記憶する顧客データベースと、
顧客に配布するチラシを前記顧客データベースに記憶された情報に基づき、前記チラシ管理サーバに登録されているチラシ基本情報から複数選定するチラシ選定手段と、
前記選定したチラシ基本情報に対応するチラシの原稿データを取得するとともに、チラシ基本情報の所在地情報から複数の店舗の所在地を示す地図を作成し、前記地図を含む共同チラシの印刷データを生成する印刷データ生成手段を備え、
前記印刷データ生成手段は、印刷可能な地図データを含む地図データベースから選定されたｎ件の広告主の所在地を含む領域の地図情報を取得し、
チラシにｎ件の広告主の所在地を１つの地図にまとめて表示する地図データ作成手段を備え、
前記印刷データ生成手段は、チラシの原稿データにおける地図表示領域の横の長さｘ及び縦の長さｙを取得し、
顧客の住所及び選定されたｎ件の広告主の所在地点における緯度及び経度を含む位置情報を取得し、
前記位置情報に含まれる緯度及び経度の最大値及び最小値をそれぞれ抽出し、前記顧客の住所及び選定されたｎ件の広告主の各地点の全てを含む東西の距離ＣＥＷ及び南北の距離ＣＮＳを算出し、
東西方向の地図の縮尺をｘａ／ＣＥＷ（ａは０＜ａ＜１の範囲で任意に設定した調整値）、南北方向の地図の縮尺をｙａ／ＣＮＳによって算出して、前記南北方向の地図の縮尺及び前記東西方向の地図の縮尺のうち小さい値の方の縮尺をチラシに掲載する地図の縮尺として設定して、広告主の所在地を示す印を地図上に表示可能な地図データを作成する
ことを特徴とするチラシ作成システム。
【請求項２】
複数の広告主のチラシを顧客毎に選別して作成して配布するチラシ作成システムであって、
広告主のチラシ基本情報を登録するチラシ管理サーバと、
各広告主のチラシの商品情報と商品画像からチラシの原稿データを作成するか、または予め作成されたチラシの原稿データを登録するチラシ原稿登録サーバと、
各顧客の基本情報及びチラシの希望情報を記憶する顧客データベースと、
顧客に配布するチラシを前記顧客データベースに記憶された情報に基づき、前記チラシ管理サーバに登録されているチラシ基本情報から複数選定するチラシ選定手段と、
前記選定したチラシ基本情報に対応するチラシの原稿データを取得するとともに、チラシ基本情報の所在地情報から複数の店舗の所在地を示す地図を作成し、前記地図を含む共同チラシの印刷データを生成する印刷データ生成手段を備え、
前記印刷データ生成手段は、印刷可能な地図データを含む地図データベースから選定されたｎ件の広告主の所在地を含む領域の地図情報を取得し、
チラシにｎ件の広告主の所在地を１つの地図にまとめて表示する地図データ作成手段を備え、
前記印刷データ生成手段は、チラシの原稿データにおける地図表示領域の横の長さｘ及び縦の長さｙを取得し、
顧客の住所及び選定されたｎ件の広告主の所在地の各地点における緯度及び経度を含む位置情報を取得し、
前記位置情報に含まれる緯度及び経度の最大値及び最小値をそれぞれ抽出し、前記顧客の住所及び選定されたｎ件の広告主の所在地点の全てを含む東西の距離ＣＥＷ及び南北の距離ＣＮＳを算出し、
東西方向の地図の縮尺をｘa／ＣＥＷ（ａは０＜ａ＜１の範囲で任意に設定した調整値）、南北方向の地図の縮尺をｙａ／ＣＮＳによって算出し、
前記南北方向の地図の縮尺及び前記東西方向の地図の縮尺のうち小さい値の縮尺と、予め設定された縮尺の閾値ｂと比較し、
前記閾値ｂより大きい場合は、前記小さい値の方の縮尺をチラシに掲載する地図の縮尺として設定して、広告主の所在地を示す印を地図上に表示可能な地図データを作成し、
前記閾値ｂより小さい場合は、ランドマークデータベースに記憶されたランドマークデータの位置情報に含まれる緯度及び経度と、広告主の各所在地点の緯度及び経度とから、最も距離の短いランドマークを抽出し、
顧客の住所を除き、抽出されたランドマーク及び広告主の所在地の緯度及び経度の全てを含む東西の距離ＬＥＷ及び南北の距離ＬＮＳを算出し、
前記東西方向の地図の縮尺をｘａ／ＬＥＷ、前記南北方向の地図の縮尺をｙａ／ＬＮＳによって再度算出して、前記南北方向の地図の縮尺及び前記東西方向の地図の縮尺のうち小さい値の方の縮尺をチラシに掲載する地図の縮尺として設定して、前記ランドマーク及び広告主の所在地を示す印を地図上に表示可能な地図データを作成する
ことを特徴とするチラシ作成システム。
【請求項３】
前記チラシ選定手段は、前記顧客データベースに記憶された情報に適応する広告主の適応度を算出して、その適応度の高い順に任意の数の広告主を選定することを特徴とする請求項１または請求項２に記載のチラシ作成システム。
【請求項４】
複数の広告主のチラシを顧客毎に選別して作成して配布するチラシ作成方法であって、
チラシ管理サーバが、広告主のチラシ基本情報を登録するステップと、
チラシ原稿登録サーバが、商品情報と商品画像からチラシの原稿データを作成するか、または予め作成されたチラシの原稿データを登録するステップと、
顧客データベースが、各顧客の基本情報及びチラシの希望情報を記憶するステップと、
チラシ編集装置が、顧客に配布するチラシを前記顧客データベースに記憶された情報に基づき、前記チラシ管理サーバに登録されているチラシ基本情報から複数選定するチラシ選定ステップと、
印刷データ出力装置が、前記選定したチラシ基本情報に対応するチラシ原稿データを取得するとともに、チラシ基本情報の所在地情報から複数の店舗の所在地を示す地図を作成し、前記地図を含む共同チラシの印刷データを生成する印刷データ生成ステップと、
を備え、
前記印刷データ生成ステップは、印刷可能な地図データを含む地図データベースから選定されたｎ件の広告主の所在地を含む領域の地図情報を取得し、
チラシにｎ件の広告主の所在地を１つの地図にまとめて表示するステップを備え、
前記印刷データ生成ステップは、チラシの原稿データにおける地図表示領域の横の長さｘ及び縦の長さｙを取得し、
顧客の住所及び選定されたｎ件の広告主の所在地点における緯度及び経度を含む位置情報を取得し、
前記位置情報に含まれる緯度及び経度の最大値及び最小値をそれぞれ抽出し、前記顧客の住所及び選定されたｎ件の広告主の各地点の全てを含む東西の距離ＣＥＷ及び南北の距離ＣＮＳを算出し、
東西方向の地図の縮尺をｘａ／ＣＥＷ（ａは０＜ａ＜１の範囲で任意に設定した調整値）、南北方向の地図の縮尺をｙａ／ＣＮＳによって算出して、前記南北方向の地図の縮尺及び前記東西方向の地図の縮尺のうち小さい値の方の縮尺をチラシに掲載する地図の縮尺として設定して、広告主の所在地を示す印を地図上に表示可能な地図データを作成する
ことを特徴とするチラシ作成方法。
【請求項５】
複数の広告主のチラシを顧客毎に選別して作成して配布するチラシ作成方法であって、
チラシ管理サーバが、広告主のチラシ基本情報を登録するステップと、
チラシ原稿登録サーバが、商品情報と商品画像からチラシの原稿データを作成するか、または予め作成されたチラシの原稿データを登録するステップと、
顧客データベースが、各顧客の基本情報及びチラシの希望情報を記憶するステップと、
チラシ編集装置が、顧客に配布するチラシを前記顧客データベースに記憶された情報に基づき、前記チラシ管理サーバに登録されているチラシ基本情報から複数選定するチラシ選定ステップと、
印刷データ出力装置が、前記選定したチラシ基本情報に対応するチラシ原稿データを取得するとともに、チラシ基本情報の所在地情報から複数の店舗の所在地を示す地図を作成し、前記地図を含む共同チラシの印刷データを生成する印刷データ生成ステップと、
を備え、
前記印刷データ生成ステップは、印刷可能な地図データを含む地図データベースから選定されたｎ件の広告主の所在地を含む領域の地図情報を取得し、
チラシにｎ件の広告主の所在地を１つの地図にまとめて表示するステップを備え、
前記印刷データ生成ステップは、チラシの原稿データにおける地図表示領域の横の長さｘ及び縦の長さｙを取得し、
顧客の住所及び選定されたｎ件の広告主の所在地の各地点における緯度及び経度を含む位置情報を取得し、
前記位置情報に含まれる緯度及び経度の最大値及び最小値をそれぞれ抽出し、前記顧客の住所及び選定されたｎ件の広告主の所在地点の全てを含む東西の距離ＣＥＷ及び南北の距離ＣＮＳを算出し、
東西方向の地図の縮尺をｘａ／ＣＥＷ（ａは０＜ａ＜１の範囲で任意に設定した調整値）、南北方向の地図の縮尺をｙａ／ＣＮＳによって算出し、
前記南北方向の地図の縮尺及び前記東西方向の地図の縮尺のうち小さい値の縮尺と、予め設定された縮尺の閾値ｂと比較し、
前記閾値ｂより大きい場合は、前記小さい値の方の縮尺をチラシに掲載する地図の縮尺として設定して、広告主の所在地を示す印を地図上に表示可能な地図データを作成し、
前記閾値ｂより小さい場合は、ランドマークデータベースに記憶されたランドマークデータの位置情報に含まれる緯度及び経度と、広告主の各所在地点の緯度及び経度とから、最も距離の短いランドマークを抽出し、
顧客の住所を除き、抽出されたランドマーク及び広告主の所在地の緯度及び経度の全てを含む東西の距離ＬＥＷ及び南北の距離ＬＮＳを算出し、
前記東西方向の地図の縮尺をｘa／ＬＥＷ、前記南北方向の地図の縮尺をｙａ／ＬＮＳによって再度算出して、前記南北方向の地図の縮尺及び前記東西方向の地図の縮尺のうち小さい値の方の縮尺をチラシに掲載する地図の縮尺として設定して、前記ランドマーク及び広告主の所在地を示す印を地図上に表示可能な地図データを作成する
ことを特徴とするチラシ作成方法。
【請求項６】
前記チラシ選定ステップは、前記顧客データベースに記憶された情報に適応する広告主の適応度を算出して、その適応度の高い順に任意の数の広告主を選定することを特徴とする請求項４または請求項５に記載のチラシ作成方法。
【請求項７】
請求項４から請求項６のいずれかに記載のチラシ作成方法を実現するための、コンピュータにより読み取り可能な形式で記述されたプログラムであって、
各コンピュータを、前記チラシ管理サーバ、前記チラシ原稿登録サーバ、前記顧客データベース、前記チラシ編集装置、及び前記印刷データ出力装置として機能させるためのプログラム。
【発明の詳細な説明】
【技術分野】
【０００１】
本発明は、個々の条件に応じてチラシ等の印刷物を作成するチラシ作成システム等に関する。
【背景技術】
【０００２】
従来の新聞の折り込みチラシは、地域単位で配られるため、消費者の選択の余地が無く、各消費者にとって不要なチラシも多く含む場合が多い。その結果、折り込みチラシの受領者（消費者）は、必要なチラシを探し難かったり、不快な思いをしたりすることがあった。その一方で、広告主は、一律に折り込みチラシを配布するため、広告の印刷枚数が多く必要となるが、需要が見込めない消費者にも配布することとなり、費用に対する効果の向上が図れず、広告費に非効率が生じていた。
【０００３】
この他、通信販売会社等の場合、登録された会員に対し、カタログ等の広告を送付する場合がある。また、店頭販売の事業主の場合、過去に来店した顧客に会員登録等により顧客情報を取得し、その会員に対し、来店、購買誘導を図る目的で、チラシ等を作成して送付する場合がある。
【０００４】
このように、スーパーマーケットや百貨店、通信販売会社等の商品流通業が頒布するチラシは、日々の特売情報、イベント情報等が掲載されており、顧客の購買意欲を促進する効果がある。そして、このようなチラシ類の原稿は、ＤＴＰ（Ｄｅｓｋ  Ｔｏｐ  Ｐｕｂｌｉｓｈｉｎｇ）の技術を利用して作成されるのが一般的である。
【０００５】
例えば、特許文献１には、ダイレクトメール等の印刷物として、１つの紙面パターンを多数印刷する際に、広告の共通データであるフォームデータに、付加データを合成する合成手段を有し、１枚毎に紙面の一部が差し替えられるバリアブル印刷システム等に関する発明が開示されている。具体的には、印刷物１枚毎に差し替えられる顧客情報（顧客の名前、住所、電話番号等）がバリアブルデータとしてデータベースに保存され、バリアブルデータに含まれる地域情報等の特定情報を抽出し、この特定情報に対応する付加データを選択してフォームデータに合成して広告データを作成し、印刷装置に送信するバリアブル印刷システムが開示されている。
【０００６】
また、特許文献２には、同一紙面上に複数の広告を同時掲載する共同広告の作成に関し、通信ネットワークを介して通信可能に接続されたユーザ端末を用いて広告依頼を受注できる共同広告印刷受注システムが開示されている。具体的には、予め蓄積された共同広告の企画情報をユーザ端末に表示させることにより、共同広告への掲載を希望する応募者が企画情報を確認し、所望の企画情報に関する応募情報を入力すると、応募情報が企画毎に受注情報として蓄積され、受注情報が所定数に達すれば、その企画について共同広告の製版、刷版、印刷加工を行い、印刷物を所定の場所に配送する共同広告印刷受注システムが開示されている。
【０００７】
さらに、特許文献３には、いずれかのグループに属するユーザ端末がネットワークを介して広告作成サーバに接続され、グループ毎のユーザに関する情報に基づいて広告商品を選定し、グループ毎に個別の広告を作成し、各グループに属するユーザのユーザ端末に個別の広告を送信する個別広告作成システム等が開示されている。
【先行技術文献】
【特許文献】
【０００８】
【特許文献１】特開２００８−３３６３５号公報
【特許文献２】特開２００２−９９７９４号公報
【特許文献３】特開２００２−２３０４１４号公報
【発明の概要】
【発明が解決しようとする課題】
【０００９】
特許文献１に開示の技術では、複数の広告主から原稿を集めることができないため、宅配代金の軽減につながらない。また、特許文献１及び特許文献２に開示の技術では、顧客が広告の内容を選別することができず、顧客の消費性向に応じた広告の提供ができず、顧客にとっては望まない広告を受領することとなり、広告主は、広告による十分な効果を得ることが難しかった。
【００１０】
さらに、特許文献２に開示の技術では、所定の広告スペース埋まらないと広告が発行できない恐れがあり、ニーズに対する細かい対応ができない。また、特許文献３の技術では、広告をユーザ端末で所定のＷｅｂサイトにアクセスすることにより確認する手法であるため、顧客がユーザ端末を能動的に利用しないと広告を見ることができず、広告主の期待する効果が十分に得られない。
【００１１】
すなわち、特許文献１〜特許文献３に開示されたような従来技術では、広告主または顧客のいずれかのニーズにある程度対応した広告の一部差し替えが可能であるが、広告主及び顧客双方の個別のニーズに具体的に対応することが難しかった。
【００１２】
本発明は、このような問題に鑑みてなされたもので、消費者の消費性向、個行動範囲等に細かく対応したチラシの送付が可能であり、且つ、広告主にとって、広告の利用効率を高めることが可能な広告作成システム、広告作成方法、及びプログラムを提供することを目的とする。
【課題を解決するための手段】
【００１３】
前述した課題を解決するため、第１の発明は、複数の広告主のチラシを顧客毎に選別して作成して配布するチラシ作成システムであって、広告主のチラシ基本情報を登録するチラシ管理サーバと、各広告主のチラシの商品情報と商品画像からチラシの原稿データを作成するか、または予め作成されたチラシの原稿データを登録するチラシ原稿登録サーバと、各顧客の基本情報及びチラシの希望情報を記憶する顧客データベースと、顧客に配布するチラシを前記顧客データベースに記憶された情報に基づき、前記チラシ管理サーバに登録されているチラシ基本情報から複数選定するチラシ選定手段と、前記選定したチラシ基本情報に対応するチラシの原稿データを取得するとともに、チラシ基本情報の所在地情報から複数の店舗の所在地を示す地図を作成し、前記地図を含む共同チラシの印刷データを生成する印刷データ生成手段を備え、前記印刷データ生成手段は、印刷可能な地図データを含む地図データベースから選定されたｎ件の広告主の所在地を含む領域の地図情報を取得し、チラシにｎ件の広告主の所在地を１つの地図にまとめて表示する地図データ作成手段を備え、前記印刷データ生成手段は、チラシの原稿データにおける地図表示領域の横の長さｘ及び縦の長さｙを取得し、顧客の住所及び選定されたｎ件の広告主の所在地点における緯度及び経度を含む位置情報を取得し、前記位置情報に含まれる緯度及び経度の最大値及び最小値をそれぞれ抽出し、前記顧客の住所及び選定されたｎ件の広告主の各地点の全てを含む東西の距離ＣＥＷ及び南北の距離ＣＮＳを算出し、東西方向の地図の縮尺をｘa／ＣＥＷ（ａは０＜ａ＜１の範囲で任意に設定した調整値）、南北方向の地図の縮尺をｙａ／ＣＮＳによって算出して、前記南北方向の地図の縮尺及び前記東西方向の地図の縮尺のうち小さい値の方の縮尺をチラシに掲載する地図の縮尺として設定して、広告主の所在地を示す印を地図上に表示可能な地図データを作成することを特徴とするチラシ作成システムである。
【００１４】
第１の発明によれば、印刷データ生成手段により、顧客毎の希望に応じて作成された共同作成チラシに対応する地図を容易にカスタマイズして作成することができる。また、地図の縮尺は、南北方向または東西方向の距離に応じて適正な縮尺が設定され、見やすい地図を容易に作成可能となる。さらに、縮尺の決定に際し、調整値ａを用いることにより、地図上に印刷される店舗の位置を適切に案内可能に表示することができる。
【００２１】
第２の発明は、複数の広告主のチラシを顧客毎に選別して作成して配布するチラシ作成システムであって、広告主のチラシ基本情報を登録するチラシ管理サーバと、各広告主のチラシの商品情報と商品画像からチラシの原稿データを作成するか、または予め作成されたチラシの原稿データを登録するチラシ原稿登録サーバと、各顧客の基本情報及びチラシの希望情報を記憶する顧客データベースと、
顧客に配布するチラシを前記顧客データベースに記憶された情報に基づき、前記チラシ管理サーバに登録されているチラシ基本情報から複数選定するチラシ選定手段と、前記選定したチラシ基本情報に対応するチラシの原稿データを取得するとともに、チラシ基本情報の所在地情報から複数の店舗の所在地を示す地図を作成し、前記地図を含む共同チラシの印刷データを生成する印刷データ生成手段を備え、前記印刷データ生成手段は、印刷可能な地図データを含む地図データベースから選定されたｎ件の広告主の所在地を含む領域の地図情報を取得し、チラシにｎ件の広告主の所在地を１つの地図にまとめて表示する地図データ作成手段を備え、前記印刷データ生成手段は、チラシの原稿データにおける地図表示領域の横の長さｘ及び縦の長さｙを取得し、顧客の住所及び選定されたｎ件の広告主の所在地の各地点における緯度及び経度を含む位置情報を取得し、前記位置情報に含まれる緯度及び経度の最大値及び最小値をそれぞれ抽出し、前記顧客の住所及び選定されたｎ件の広告主の所在地点の全てを含む東西の距離ＣＥＷ及び南北の距離ＣＮＳを算出し、東西方向の地図の縮尺をｘa／ＣＥＷ（ａは０＜ａ＜１の範囲で任意に設定した調整値）、南北方向の地図の縮尺をｙａ／ＣＮＳによって算出し、
前記南北方向の地図の縮尺及び前記東西方向の地図の縮尺のうち小さい値の縮尺と、予め設定された縮尺の閾値ｂと比較し、前記閾値ｂより大きい場合は、前記小さい値の方の縮尺をチラシに掲載する地図の縮尺として設定して、広告主の所在地を示す印を地図上に表示可能な地図データを作成し、前記閾値ｂより小さい場合は、ランドマークデータベースに記憶されたランドマークデータの位置情報に含まれる緯度及び経度と、広告主の各所在地点の緯度及び経度とから、最も距離の短いランドマークを抽出し、顧客の住所を除き、抽出されたランドマーク及び広告主の所在地の緯度及び経度の全てを含む東西の距離ＬＥＷ及び南北の距離ＬＮＳを算出し、前記東西方向の地図の縮尺をｘa／ＬＥＷ、前記南北方向の地図の縮尺をｙａ／ＬＮＳによって再度算出して、前記南北方向の地図の縮尺及び前記東西方向の地図の縮尺のうち小さい値の方の縮尺をチラシに掲載する地図の縮尺として設定して、前記ランドマーク及び広告主の所在地を示す印を地図上に表示可能な地図データを作成することを特徴とするチラシ作成システムである。
【００２２】
第２の発明によれば、印刷データ生成手段により、顧客の住所と広告主の店舗とが離れている場合でも、店舗への道順が分かり易い適切な地図を印刷することができる。すなわち、チラシ編集装置において顧客の希望に基づいて選定された広告主の店舗と顧客の住所との距離が遠い場合、チラシに印刷される地図の縮尺が小さくなり、実用性に乏しい地図となる。しかし、このような場合に、本発明に係る印刷データ出力装置の地図データ作成手段とすれば、作成する地図から顧客の住所を含む地域を除く代わりに、店舗近隣のランドマークを含む適切な縮尺の地図を容易に作成することができる。したがって、公共施設等のランドマークからの道順が分かるような地図を提供して、店舗の場所を分かり易く告知することができる。
なお、第１、第２の発明において、前記チラシ選定手段は、前記顧客データベースに記憶された情報に適応する広告主の適応度を算出して、その適応度の高い順に任意の数の広告主を選定してもよい。このように、適応度の高い順に広告主の数が限られることにより、関心を持つ可能性が高いチラシから優先的に印刷されることとなり、不要なチラシが減少するとともに、顧客の関心を喚起しやすく、情報を見ずに捨てられる廃棄物が減少する。
【００２３】
第３の発明は、複数の広告主のチラシを顧客毎に選別して作成して配布するチラシ作成方法であって、チラシ管理サーバが、広告主のチラシ基本情報を登録するステップと、チラシ原稿登録サーバが、商品情報と商品画像からチラシの原稿データを作成するか、または予め作成されたチラシの原稿データを登録するステップと、顧客データベースが、各顧客の基本情報及びチラシの希望情報を記憶するステップと、チラシ編集装置が、顧客に配布するチラシを前記顧客データベースに記憶された情報に基づき、前記チラシ管理サーバに登録されているチラシ基本情報から複数選定するチラシ選定ステップと、印刷データ出力装置が、前記選定したチラシ基本情報に対応するチラシ原稿データを取得するとともに、チラシ基本情報の所在地情報から複数の店舗の所在地を示す地図を作成し、前記地図を含む共同チラシの印刷データを生成する印刷データ生成ステップと、を備え、
前記印刷データ生成ステップは、印刷可能な地図データを含む地図データベースから選定されたｎ件の広告主の所在地を含む領域の地図情報を取得し、チラシにｎ件の広告主の所在地を１つの地図にまとめて表示するステップを備え、前記印刷データ生成ステップは、チラシの原稿データにおける地図表示領域の横の長さｘ及び縦の長さｙを取得し、顧客の住所及び選定されたｎ件の広告主の所在地点における緯度及び経度を含む位置情報を取得し、前記位置情報に含まれる緯度及び経度の最大値及び最小値をそれぞれ抽出し、前記顧客の住所及び選定されたｎ件の広告主の各地点の全てを含む東西の距離ＣＥＷ及び南北の距離ＣＮＳを算出し、
東西方向の地図の縮尺をｘa／ＣＥＷ（ａは０＜ａ＜１の範囲で任意に設定した調整値）、南北方向の地図の縮尺をｙａ／ＣＮＳによって算出して、前記南北方向の地図の縮尺及び前記東西方向の地図の縮尺のうち小さい値の方の縮尺をチラシに掲載する地図の縮尺として設定して、広告主の所在地を示す印を地図上に表示可能な地図データを作成することを特徴とするチラシ作成方法である。
【００２４】
第４の発明は、複数の広告主のチラシを顧客毎に選別して作成して配布するチラシ作成方法であって、チラシ管理サーバが、広告主のチラシ基本情報を登録するステップと、チラシ原稿登録サーバが、商品情報と商品画像からチラシの原稿データを作成するか、または予め作成されたチラシの原稿データを登録するステップと、顧客データベースが、各顧客の基本情報及びチラシの希望情報を記憶するステップと、チラシ編集装置が、顧客に配布するチラシを前記顧客データベースに記憶された情報に基づき、前記チラシ管理サーバに登録されているチラシ基本情報から複数選定するチラシ選定ステップと、印刷データ出力装置が、前記選定したチラシ基本情報に対応するチラシ原稿データを取得するとともに、チラシ基本情報の所在地情報から複数の店舗の所在地を示す地図を作成し、前記地図を含む共同チラシの印刷データを生成する印刷データ生成ステップと、を備え、
前記印刷データ生成ステップは、印刷可能な地図データを含む地図データベースから選定されたｎ件の広告主の所在地を含む領域の地図情報を取得し、チラシにｎ件の広告主の所在地を１つの地図にまとめて表示するステップを備え、前記印刷データ生成ステップは、チラシの原稿データにおける地図表示領域の横の長さｘ及び縦の長さｙを取得し、顧客の住所及び選定されたｎ件の広告主の所在地の各地点における緯度及び経度を含む位置情報を取得し、前記位置情報に含まれる緯度及び経度の最大値及び最小値をそれぞれ抽出し、前記顧客の住所及び選定されたｎ件の広告主の所在地点の全てを含む東西の距離ＣＥＷ及び南北の距離ＣＮＳを算出し、東西方向の地図の縮尺をｘa／ＣＥＷ（ａは０＜ａ＜１の範囲で任意に設定した調整値）、南北方向の地図の縮尺をｙａ／ＣＮＳによって算出し、前記南北方向の地図の縮尺及び前記東西方向の地図の縮尺のうち小さい値の縮尺と、予め設定された縮尺の閾値ｂと比較し、前記閾値ｂより大きい場合は、前記小さい値の方の縮尺をチラシに掲載する地図の縮尺として設定して、広告主の所在地を示す印を地図上に表示可能な地図データを作成し、前記閾値ｂより小さい場合は、ランドマークデータベースに記憶されたランドマークデータの位置情報に含まれる緯度及び経度と、広告主の各所在地点の緯度及び経度とから、最も距離の短いランドマークを抽出し、顧客の住所を除き、抽出されたランドマーク及び広告主の所在地の緯度及び経度の全てを含む東西の距離ＬＥＷ及び南北の距離ＬＮＳを算出し、前記東西方向の地図の縮尺をｘa／ＬＥＷ、前記南北方向の地図の縮尺をｙａ／ＬＮＳによって再度算出して、前記南北方向の地図の縮尺及び前記東西方向の地図の縮尺のうち小さい値の方の縮尺をチラシに掲載する地図の縮尺として設定して、前記ランドマーク及び広告主の所在地を示す印を地図上に表示可能な地図データを作成することを特徴とするチラシ作成方法である。
なお、第３、第４の発明において、前記チラシ選定ステップは、前記顧客データベースに記憶された情報に適応する広告主の適応度を算出して、その適応度の高い順に任意の数の広告主を選定してもよい。
【００２５】
第５の発明は、第３、第４の発明のチラシ作成方法を実現するための、コンピュータにより読み取り可能な形式で記述されたプログラムであって、各コンピュータを、前記チラシ管理サーバ、前記チラシ原稿登録サーバ、前記顧客データベース、前記チラシ編集装置、及び前記印刷データ出力装置として機能させるためのプログラムである。
【００２６】
第５の発明により、汎用のコンピュータによって第１、第２の発明のチラシ作成システムを構築することが可能となる。
【発明の効果】
【００２７】
本発明によれば、広告主と顧客の受領したい広告とを個別具体的に適合させることが可能であり、且つ、その個別に対応した広告に対応する地図を付加することが可能なチラシ作成システム、チラシ作成方法、及びプログラムを提供できる。この結果、広告主及び顧客のニーズに個別に対応可能であり、非常に効率の良いチラシの提供が可能となる。
【図面の簡単な説明】
【００２８】
【図１】本発明に係るチラシ作成システム１の概略構成図
【図２】コンピュータのハードウエア構成を示すブロック図
【図３】本発明に係るチラシ作成システム１の機能ブロック図
【図４】チラシ作成システム１において実行される顧客のデータ登録処理の流れを説明するフローチャート
【図５】チラシ作成システム１において実行される広告主のデータ登録処理の流れを説明するフローチャート
【図６】チラシ編集処理の手順を説明するフローチャート
【図７】チラシ印刷データの生成処理の手順を説明するフローチャート
【図８】地図データの生成処理の手順を説明するフローチャート
【図９】地図作成手段により作成される地図の一例を示す図
【図１０】地図データの生成処理の手順を説明するフローチャート
【発明を実施するための形態】
【００２９】
以下、図面に基づいて本発明の好適な実施形態について詳細に説明する。
【００３０】
まず、図１を参照して、本発明を適用するチラシ作成システム１について説明する。
図１は、本発明に係るチラシ作成システム１の概要を示す図である。
チラシ作成システム１は、チラシ管理サーバ２と、チラシ原稿登録サーバ３と、顧客データベース４と、チラシ編集装置５と、印刷データ出力装置６と、印刷機７と、顧客の情報を入力する端末（顧客端末又は顧客管理者端末）８と、広告主の情報を入力する端末（広告主端末又は広告主管理者端末）９とを備え、必要に応じてネットワーク１０ａ，１０ｂ，１０ｃを介して通信接続されて構成される。
【００３１】
本発明に係るチラシ作成システムは、複数の広告主のチラシを顧客毎に選別して作成して配布するチラシ作成システムである。
ここで、本発明にいうチラシとは、例えば、カタログ、安売り情報、イベントの案内等の広告情報を含む印刷物を言い、一枚の印刷物の他、複数頁の印刷物を綴じて冊子状にしたものや、複数頁の印刷物を新聞の形態のように折り込んでまとめたもの、葉書等であってもよい。
また、本発明では、チラシのうち、特に、複数の広告主の広告をまとめて一部のチラシに掲載する共同チラシに適用される。
【００３２】
チラシ管理サーバ２は、広告主の基本情報及び広告情報が入力され、チラシの原稿作成の際に必要な情報を出力するコンピュータである。チラシ管理サーバ２は、広告主端末９から入力される各広告主の名称、所在地、識別番号（ＩＤ）、取扱商品ジャンル、広告主が広告したい営業情報（営業日、特売日、特売商品、お勧め商品等）等を記載したチラシ基本情報を記憶している。
【００３３】
チラシ原稿登録サーバ３は、商品情報と商品の画像データを格納するデータベースを備えるとともに、チラシに掲載する商品の画像を管理する画像管理テーブルを記憶している。チラシの配送時期に応じて、印刷会社が指定した期日までに、商品情報と商品画像データがチラシ原稿登録サーバ３に入力され、指定された紙面サイズのチラシの原稿データが作成される。
商品情報と商品画像は広告主ＩＤで広告主が識別できるようにデータベースに記憶されており、チラシのレイアウトと商品情報の書式を指定したチラシ原稿フォームもチラシ原稿登録サーバ３に登録されている。
チラシ原稿登録サーバ３は、チラシ管理サーバ２から取得された各広告主の情報に基づいてチラシの原稿データを作成して登録するコンピュータである。すなわち、チラシ原稿登録サーバ３は、データベースに格納された商品情報からチラシに必要な商品情報を抽出する機能、抽出された商品情報と商品画像データを、チラシ原稿フォームに従って商品情報と商品画像を配置してチラシの原稿データを作成する機能、印刷データ出力装置６から受信した信号（広告主ＩＤ）に対応するチラシの原稿データを、印刷データ出力装置６に送信する機能を有する。
また、チラシ原稿登録サーバ３でデータベースに登録された商品情報と商品画像からチラシ原稿データを作成しているが、広告主は広告主端末９から予め商品情報、商品画像がレイアウトされたチラシの原稿データを広告主ＩＤと共にチラシ原稿登録サーバ３に登録してもよい。
【００３４】
次に、顧客データベース４は、顧客端末８から入力された各顧客の基本情報及びチラシの希望情報を蓄積して記憶するデータベースである。顧客とは、本発明に係るチラシ作成システムにより作成される個別共同チラシの配送サービスを受けることを希望した顧客であり、サービスの利用に際し、顧客登録を行う。顧客データベース４は、例えば、ＤＢＭＳ（DataBase Management Ｓystem：データベース管理システム）のソフトウエアがインストールされたコンピュータとして実現される。
【００３５】
顧客の基本情報は、チラシの配送に必要な住所、氏名、識別番号（ＩＤ）が挙げられ、必要に応じて年齢、性別等、チラシの提供に際し、参照できる情報が付加されてもよい。
また、顧客の希望情報は、顧客がチラシの受領に望む情報であり、例えば、利用意向の高い店舗、利用意向の高い地域、購買意向のある商品、チラシの受け取り優先度の低い広告主や業種等、顧客が任意に登録可能な情報である。
【００３６】
顧客端末８及び広告主端末９はウェブブラウザ、またはチラシ作成システムを利用するためのアプリケーションがインストールされているコンピュータである。また、広告主端末９は、チラシ管理サーバ２へログインすると、広告主操作画面情報を受信し、表示部に表示する。広告主端末９及びチラシ管理サーバ２は、広告主用操作画面を利用して、チラシ管理サーバ２からのチラシ基本情報の検索及び取得、確認、追加、訂正等に関する種々の処理を実行する。同様に広告主端末９からチラシ原稿登録サーバ３にアクセスして、商品情報、商品画像、チラシの原稿データの登録、追加、変更を行える。
同様の方法で、顧客端末８においても、顧客情報の登録、確認、追加、訂正等に関する種々の処理を実行する。
【００３７】
なお、顧客端末８及び広告主端末９は、汎用的なコンピュータに代えて、デジタルテレビ、携帯電話、モバイル端末、通信機能搭載のゲーム機などで実現することもできる。
また、上述した顧客端末８及び広告主端末９は、顧客自身あるいは広告主自身がネットワーク１０ａ，１０ｃを介して操作する場合に限定されるものではない。例えば、顧客が、サービスの利用に必要な情報を印刷会社に提供し、印刷会社の顧客管理者が端末を操作して登録してもよい。広告主に関しても同様である。
【００３８】
次に、チラシ編集装置５は、顧客データベース４に記憶された情報に基づき、チラシ管理サーバ２に登録されている複数の広告主の中から適当な広告主を選定する機能と、選定結果を印刷データ出力装置６に送信する機能を備えるコンピュータである。
【００３９】
印刷データ出力装置６は、チラシ編集装置５から送信された選定結果に該当する広告主のチラシの原稿データをチラシ原稿登録サーバ３から取得する機能と、選定結果に該当する広告主の店舗の所在地情報の地図を作成する機能と、選定された広告主の広告と所在地を示す地図とを含む共同チラシの印刷データを生成して印刷機７に送信する機能を備えるコンピュータである。また、印刷データ出力装置６は、チラシの原稿を制作するＤＴＰ作業機能を有し、ＤＴＰアプリケーションプログラム等がインストールされ、原稿制作処理を行う。
【００４０】
印刷機７は、制御部、操作部、通信部、両面印刷装置等を有し、入力された印刷出力データに応じて印刷を行う。印刷データ出力装置６は、画像を出力する印刷機７のような出力機器に対応して、画像に組み込まれたプロファイル、あるいは、関連付けられたプロファイルを用いて、複数の画像を含む情報を一括して変換出力する。
【００４１】
次に、図２は、コンピュータ（チラシ管理サーバ２、チラシ原稿登録サーバ３、チラシ編集装置５、印刷データ出力装置６、顧客端末８、広告主端末９等）のハードウエア構成図である。なお、図２のハードウエア構成は一例であり、用途、目的に応じて様々な構成を採ることが可能である。
図２に示すように、コンピュータ１００は、制御部１０１、記憶部１０２、入力部１０３、表示部１０４、メディア入出力部１０５、通信制御部１０６、周辺機器Ｉ／Ｆ部１０７等が、バス１０９を介して接続される。
【００４２】
制御部１０１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。ＣＰＵは、記憶部１０２、ＲＯＭ、記録媒体等に格納されるプログラムをＲＡＭ上のワークメモリ領域に呼び出して実行し、バス１０９を介して接続された各装置を駆動制御し、コンピュータ１００が行う処理を実現する。
ＲＯＭは、不揮発性メモリであり、コンピュータ１００のブートプログラムやＢＩＯＳ等のプログラム、データ等を恒久的に保持している。
ＲＡＭは、揮発性メモリであり、記憶部１０２、ＲＯＭ、記録媒体等からロードしたプログラム、データ等を一時的に保持するとともに、制御部１０１が各種処理を行う為に使用するワークエリアを備える。
【００４３】
記憶部１０２は、ＨＤＤ（ハードディスクドライブ）であり、制御部１０１が実行するプログラム、プログラム実行に必要なデータ、ＯＳ（オペレーティングシステム）等が格納される。プログラムに関しては、ＯＳ（オペレーティングシステム）に相当する制御プログラムや、後述する処理をコンピュータに実行させるためのアプリケーションプログラムが格納されている。
【００４４】
入力部１０３は、データの入力を行い、例えば、キーボード、マウス等のポインティングデバイス、テンキー等の入力装置を有する。入力部１０３を介して、コンピュータ１００に対して、操作指示、動作指示、データ入力等を行うことができる。
表示部１０４は、液晶パネル等のディスプレイ装置、ディスプレイ装置と連携してコンピュータのビデオ機能を実現するための論理回路等（ビデオアダプタ等）を有する。
【００４５】
メディア入出力部１５（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置を有する。
通信制御部１０６は、通信制御装置、通信ポート等を有し、コンピュータ１００とネットワーク１０ａ，１０ｂ，１０ｃ間の通信を媒介する通信インタフェースであり、ネットワーク１０ａ，１０ｂ，１０ｃを介して、他のコンピュータ１００間との通信制御を行う。
【００４６】
周辺機器Ｉ／Ｆ（インタフェース）部１０７は、コンピュータ１００に周辺機器を接続させるためのポートであり、周辺機器Ｉ／Ｆ部１７を介してコンピュータ１００は周辺機器とのデータの送受信を行う。周辺機器Ｉ／Ｆ部１７は、ＵＳＢやＩＥＥＥ１３９４やＲＳ−２３２Ｃ等で構成されており、通常複数の周辺機器Ｉ／Ｆを有する。周辺機器との接続形態は有線、無線を問わない。
バス１０９は、各装置間の制御信号、データ信号等の授受を媒介する経路である。
【００４７】
次に、図３〜図８を参照して、チラシ作成システム１における個別共同チラシの作成の流れについて説明する。
図３は、チラシ作成システム１における個別共同チラシの作成機能の概要を説明するブロック図、図４は、チラシ作成システム１において実行される顧客のデータ登録処理の流れを説明するフローチャート、図５は、チラシ作成システム１において実行される広告主のデータ登録処理の流れを説明するフローチャート、図６は、チラシ編集処理の手順を説明するフローチャート、図７は、チラシ印刷データの生成処理の手順を説明するフローチャートである。また、図８は、地図作成手段により作成される地図の一例を示す図である。
【００４８】
（１）顧客情報の登録
本発明のチラシ作成システムによる個別共同チラシの配送を希望する顧客は、図３及び図４に示すように、顧客データが未登録の場合（ステップＳ１のＹｅｓ）、顧客端末８は、顧客情報、顧客ＩＤ等を顧客データベース４に登録する（ステップＳ２）。
顧客の基本情報は、チラシの配送に必要な住所、氏名、識別番号（ＩＤ）が挙げられ、必要に応じて年齢、性別等、チラシの提供に際し、参照できる情報が付加されてもよい。
また、顧客の希望情報は、顧客がチラシの受領に望む情報であり、例えば、利用意向の高い店舗等、顧客が任意に登録可能な情報である。
【００４９】
（２）チラシ基本情報及び商品情報の登録
図３及び図５に示すように、チラシ基本情報が未登録の場合（ステップＳ１１のＹｅｓ）、広告主端末（広告主管理者端末）９は、各広告主の名称、所在地、識別番号（ＩＤ）、取扱商品ジャンル等の基本情報と、広告主が広告したい営業情報（営業日、特売日、特売商品、お勧め商品等）をチラシ管理サーバ２に登録する。（ステップＳ１２）。
【００５０】
広告主端末９は、商品情報と商品画像データをチラシ原稿登録サーバ３に登録する。
入力された商品情報と商品画像データから、チラシの配送時期に応じて、印刷会社が指定した期日までに、指定された紙面サイズのチラシの原稿データがチラシ原稿登録サーバ３で作成され、広告主ＩＤが付与される。
あるいは、広告主端末（広告主管理者端末）９からＤＴＰ印刷可能なＤＴＰデータ（ａｉ、ｉｎｄｄ、ｐｄｆ形式等）のチラシの原稿データを広告主ＩＤと関連付けて送信して、チラシ原稿登録サーバ３に登録される（ステップＳ１３）。
【００５１】
（３）チラシ編集処理
次に、図３及び図６を用いて、各顧客情報に適合する個別のチラシの編集処理について説明する。
【００５２】
まず、チラシ編集装置５は、チラシの送付対象となる顧客ＩＤを指定する（ステップＳ１０１）。チラシの送付対象となる顧客は、印刷会社の端末を用いて特定の顧客を指定することも可能である。しかし、より多くの個別共同チラシを迅速に作成するためには、チラシ編集装置５の制御部１０１が、所定の条件に従って、顧客データベース４に格納された顧客情報のリストから順次顧客ＩＤを指定する処理を行うことが望ましい。また、例えば、定期的に輪番で選出する方法や、広告主の希望に応じた企画や、お中元やお歳暮といった特定の需要を想定した企画、マーケティングによる企画等、任意の条件に応じて、送付対象となる顧客をある程度絞り込んだ後、顧客ＩＤを指定する処理を行うことも考えられる。
【００５３】
次に、チラシ編集装置５は、顧客ＩＤに対応する顧客の住所及び希望情報を顧客データベース（顧客ＤＢ）４から取得する（ステップＳ１０２）。顧客の住所の情報は、作成した個別共同チラシを送付する送付状を作成するための情報に用いる他、後述する地図データの作成処理の際に、住所に対応する緯度、経度の情報を用いる。また、広告主の絞り込み条件に使用することも可能である。
【００５４】
次に、チラシ編集装置５は、取得した顧客の住所及び希望情報を元に広告主の絞り込み条件として地域を設定する（ステップＳ１０３）。
例えば、取得した顧客の住所が関東地方である場合、北海道や九州のような遠隔地の広告主の広告を提供しても、来店を誘導できる可能性が低いと考えられることから、全広告主の店舗の所在地情報から、遠隔地域に属するものを除外する設定を行うことにより、広告主の絞り込みを行う。
ここで、例えば、顧客がこのような遠隔地への旅行を計画しており、顧客の希望情報に、この遠隔地の広告主の情報の提供を希望する旨が登録されている場合は、広告主の絞り込みにおいても、その希望情報を反映させて個別共同チラシを作成すればよい。
【００５５】
一方、顧客の希望情報は、顧客がチラシの受領に望む情報であり、例えば、利用意向の高い店舗、利用意向の高い地域、購買意向のある商品、チラシの受け取り優先度の低い広告主や業種等、顧客が任意に登録可能な情報である。具体例として、利用意向の高い店舗の指定は、チラシ作成システムのサービスを利用している広告主のリストから特定の広告主の店舗から選択する場合や、利用意向の高い業種を指定した場合、顧客が頻繁に訪れる地域を指定した場合等が考えられる。
【００５６】
なお、従来の新聞折り込みチラシやポスティングによるチラシでは、顧客の住所周辺に店舗を有する広告主のチラシを配布している。しかし、顧客によっては、居住地から離れた地域での買い物を頻繁に行う場合があり、居住地の地理的な距離や、行政的な地域区分と関係の無い地域でもチラシの広告効果が得られる可能性がある。従来、このような遠方地域の商圏へのチラシの配布は、配布地域の判断が難しいうえに、レスポンス率が低下するため行われておらず、顧客が利用した経験のある店舗において、直接顧客登録した場合に、その店舗からチラシが直接配送される程度であった。
しかし、本発明では、顧客自身が希望する広告主を指定できるので、広告主の店舗所在地と顧客の住所との距離に関わらず、希望に該当する広告主の広告をチラシで一括して受領できる。
【００５７】
このようにして、顧客住所、希望地域を元に、広告主の店舗所在地の地域を設定したら、次に、チラシ編集装置５は、絞り込み条件に合致する広告主データをチラシ管理サーバ２から取得する処理を行う（ステップＳ１０４）。
【００５８】
チラシ編集装置５は、顧客の希望情報に受け取り優先度の低い広告主の指定の有無を判断する処理を行う（ステップＳ１０５）。
ここで、チラシ基本情報は、顧客の条件に合致する全ての広告主のチラシを作成すると、膨大な量となる場合がある。そこで、本発明は、絞り込み条件に合致する広告主データは、顧客データベース４に記憶された顧客情報に適応する広告主の適応度を算出して、その適応度の高い順に任意の数の広告主を選定することが望ましい。
個別共同チラシとして受領できる広告主を、適応度の高い順に優先順位を付け、優先順位の上位から任意の数の広告主を選定することにより、顧客が関心を持つ可能性の高いチラシから優先的に印刷されるので、顧客が情報を見ないままに捨てられるチラシを減らすことができ、また、提供する個別共同チラシの質を高めることができる。
【００５９】
顧客の希望情報に受け取り優先度の低い広告主の指定がある場合（ステップＳ１０５のＹｅｓ）、チラシ編集装置５は、その希望情報を元に、絞り込み後に取得された広告主において、該当する広告主の出力優先順位を下げ、これを記憶する処理を行う（ステップＳ１０６）。
【００６０】
さらに、チラシ編集装置５は、顧客の希望情報に、利用意向の高い広告主や業種の指定の有無を判断する（ステップＳ１０７）。
すなわち、顧客の希望情報に利用意向の高い広告主の指定がある場合（ステップＳ１０７のＹｅｓ）、チラシ編集装置５は、取得されたチラシ基本情報において、その希望情報を元に、該当する広告主の出力優先順位を上げ、これを記憶する処理を行う（ステップＳ１０８）。
【００６１】
さらに、チラシ編集装置５は、顧客の希望情報に、購買意欲の高い商品やそのジャンル等の指定の有無を判断する（ステップＳ１０９）。
すなわち、顧客の希望情報に、今後購買計画のある商品の指定がある場合（ステップＳ１０９のＹｅｓ）、チラシ編集装置５は、取得されたチラシ基本情報において、その希望情報を元に、該当する商品を扱う広告主の出力優先順位を上げ、これを記憶する処理を行う（ステップＳ１１０）。
【００６２】
チラシ編集装置５は、ステップＳ１０５からステップＳ１１０の処理を顧客の希望情報の数に応じて行い、広告主の出力適合度を算出して順位を付け、出力優先順位が上位ｎ件（１位からｎ位）の広告主を個別共同チラシに掲載する広告主として選定する。そして、チラシ編集装置５は、選定された広告主の広告主ＩＤを顧客ＩＤと関連付けて印刷データ出力装置６に送信して（ステップＳ１１１）、チラシ編集処理を終了する。
【００６３】
（４）印刷データの生成処理
次に、図３及び図７を用いて、印刷データ出力装置６における印刷データの生成処理について説明する。
まず、印刷データ出力装置６は、選定されたｎ件の広告主の広告主ＩＤを顧客ＩＤと関連付けたデータを、チラシ編集装置５から取得する（ステップＳ２０１）。
【００６４】
印刷データ出力装置６は、取得したｎ件の広告主の広告主ＩＤに基づいて、チラシ原稿登録サーバ３から、該当する広告主のチラシの原稿データを取得する（ステップＳ２０２）。
【００６５】
印刷データ出力装置６は、取得した原稿データに基づき、顧客毎のチラシ印刷データを生成する（ステップＳ２０３）。すなわち、作成すべき個別共同チラシの紙面サイズや、各広告主に割り当てられる印刷位置や範囲等、所定の印刷条件に従って、ＤＴＰ処理により、チラシの原稿データをレイアウトしてチラシ印刷データを生成する。
【００６６】
印刷データ出力装置６は、顧客データベース４から対象顧客の住所・氏名を取得し（ステップＳ２０４）、送り状印刷データを生成する（ステップＳ２０５）。
【００６７】
ここで、印刷データ出力装置６は、各広告主により提供されたチラシの原稿データの他、掲載する各広告主の店舗の所在地を示す地図データを生成して、個別共同チラシに掲載する（ステップＳ２０６）。地図データは、個別共同チラシの紙面上の一部に、広告主の原稿データとともに小さく掲載する場合と、紙面の大きな領域を使用して地図データを掲載する場合がある。また、各広告主の広告欄の近傍に、１店舗毎あるいは近隣の数店舗毎に分割した地図を掲載する場合と、個別共同チラシに掲載される全ての広告主の店舗を一つの地図上にまとめて掲載する場合がある。
以下に、図８〜図１０を用いて地図データの生成処理について詳述する。本発明において、２種類の地図データの生成処理が挙げられ、いずれを用いても良い。
【００６８】
（４−１）地図データの生成処理１
一つ目の地図データの生成処理は、顧客の住所及び個別共同チラシに掲載される広告主の店舗の所在地を全て同じ地図内に表示するように地図データを生成する処理である。特に、顧客の住所と広告主の店舗の所在地との距離が比較的近い場合や、個別共同チラシの地図欄を大きく配置できる場合に好適に用いられる。
【００６９】
図８に示すように、まず、印刷データ出力装置６は、作成する個別共同チラシの原稿データから、地図を表示する領域の横の長さｘ及び縦の長さｙの情報を取得する（ステップＳ３０１）。
【００７０】
次に、印刷データ出力装置６は、顧客の住所の所在地点における緯度及び経度を含む位置情報を顧客データベース４から取得する（ステップＳ３０２）。
【００７１】
同様に、印刷データ出力装置６は、選定されたｎ件の広告主の店舗の所在地点における緯度及び経度を含む位置情報をチラシ管理サーバ２から取得する（ステップＳ３０３）。
【００７２】
印刷データ出力装置６は、取得した全ての位置情報の緯度の最大値、経度の最大値、緯度の最小値及び経度の最小値をそれぞれ抽出し、この値から顧客の住所及び選定されたｎ件の広告主の各地点の全てを含む領域の東西の距離ＣＥＷ及び南北の距離ＣＮＳを算出する（ステップＳ３０４）。尚、Ｃは顧客（Customer）、ＥＷは東西（east-west）、ＮＳは南北（north-south）を示している。
【００７３】
印刷データ出力装置６は、ステップＳ３０４で算出された東西の距離ＣＥＷ及び南北の距離ＣＮＳと、個別共同チラシに印刷される地図の領域の横の長さｘ及び縦の長さｙとを用いて、印刷する地図の縮尺を決定する。
【００７４】
ここで、印刷データ出力装置６は、見やすい地図を印刷するために、縮尺を決定する際、地図の表示領域に応じて任意に設定された調整値ａ（ａの値は０＜ａ＜１の範囲）を用いるため、表示する地図の縮尺を決定前に、調整値aを取得する（ステップＳ３０５）。
【００７５】
個別共同チラシに表示する地図は道案内図として利用されるものであり、限られた表示領域の場合、縮尺が大きい方が詳細な位置を分かり易く表示できる。この観点では、顧客の住所の地点及びチラシに掲載される広告主の全店舗の地点の中から、最も端に位置する地点を、地図の印刷領域の端部に合わせると、地図の縮尺を最も大きくすることができる。しかし、地図にプロットする店舗の目印が地図の表示領域の境界に近接した位置にあると、その店舗の周辺の情報が分かり難くなるため案内表示として不十分となる。これに対し、図９に示すように、個別共同チラシに表示する地図は、広告主の店舗の目印が、地図表示領域の境界から、ある程度内側に離れた位置となるように表示すると、位置が分かりやすくなる。
【００７６】
そこで、印刷データ出力装置６は、ステップＳ３０４で算出された南北の距離Ｌｘ及び東西の距離Ｐｙと、個別共同チラシに印刷される地図の領域の横の長さｘ及び縦の長さｙとの比から、地図の縮尺を決定する際、調整値ａを用いた以下の式（１）及び式（２）を採用し、東西方向及び南北方向の地図の縮尺を算出して、小さい値の方の縮尺をチラシに掲載する地図の縮尺として設定する（ステップＳ３０６）。
【００７７】
東西方向の縮尺＝ｘa／ＣＥＷ・・・（１）
（ａは０＜ａ＜１の範囲で任意に設定した調整値）
【００７８】
南北方向の縮尺＝ｙａ／ＣＮＳ・・・（２）
（ａは０＜ａ＜１の範囲で任意に設定した調整値）
【００７９】
印刷データ出力装置６は、ステップＳ３０６で得られた縮尺において、顧客住所及び店舗の所在地の位置情報から緯度・経度の中央値を中心にした地図データを、地図データベース１１から抽出する（ステップＳ３０７）。この地図データベース１１は、印刷用の地図データが作成できるものであればよく、例えば、商用の地図データサービス等により提供されるものが考えられる。
【００８０】
印刷データ出力装置６は、地図データベース１１から抽出され、所定の大きさで表示可能に処理された地図データに広告主の店舗所在地の位置情報を付加し、更に地図データに広告主の所在地を示す目印をプロットし（ステップＳ３０８）、地図データを印刷機７に送信する。（ステップＳ３０９）。
【００８１】
（４−２）地図データの生成処理２
二つ目の地図データの生成処理は、特に、顧客の住所と広告主の店舗の所在地との距離が遠い場合や、個別共同チラシ上に印刷する地図の領域が小さい場合に好適に用いられる処理である。図１０を用いて説明する。
【００８２】
まず、印刷データ出力装置６は、原稿データから地図を表示する領域の横の長さｘ及び縦の長さｙの情報を取得する処理（ステップＳ４０１）から、調整値ａを取得する処理（ステップＳ４０５）までは、上述の地図データの生成処理１のステップＳ３０１からステップＳ３０５と同様に行う。
【００８３】
次に、印刷データ出力装置６は、印刷される地図が見やすくなるように予め設定された縮尺の閾値ｂを取得する（ステップＳ４０６）。閾値ｂは、個別共同チラシの地図表示欄の大きさに対して、店舗所在地の案内表示として見やすいレベルの縮尺の閾値である。地図データの生成処理１で説明したように、個別共同チラシに表示する地図の縮尺は、地図表示欄の大きさと、店舗所在地を表示するために必要な領域に影響を受ける。表示すべき地図の領域が、個別共同チラシの地図表示欄の大きさに対して広すぎると、地図の縮尺を小さくする必要がある。しかし、地図の縮尺が小さすぎると、店舗への道順を示すための地図としては分かり難くなる。
具体的には、顧客の住所と、個別共同チラシに掲載される広告主の店舗がある地域とが離れている場合、顧客の住所及び広告主の店舗を含む領域は広範囲となり、縮尺が小さくなる。
そこで、チラシ上の地図表示欄の大きさに対して、見やすいレベルの縮尺について予め閾値ｂを設定し、この閾値ｂに基づき、地図データの生成処理を変更する。
【００８４】
次に、印刷データ出力装置６は、調整値ａを用いた式（３）及び式（４）により東西方向及び南北方向の地図の縮尺を算出する（ステップＳ４０７）。
【００８５】
東西方向の縮尺＝ｘa／ＣＥＷ・・・（３）
（ａは０＜ａ＜１の範囲で任意に設定した調整値）
【００８６】
南北方向の縮尺＝ｙａ／ＣＮＳ・・・（４）
（ａは０＜ａ＜１の範囲で任意に設定した調整値）
【００８７】
次に、印刷データ出力装置６は、算出した東西方向の縮尺＝ｘa／ＣＥＷ及び南北方向の縮尺＝ｙａ／ＣＮＳのうち、小さい値の縮尺と、予め設定された閾値ｂとを比較する（ステップＳ４０８）。比較の結果、算出された小さい値の縮尺が閾値ｂより小さい場合は、見やすい地図を表示不可能であると判断され、表示する地図の領域を変更すべく、ステップＳ４０９の処理を行う。
【００８８】
すなわち、印刷データ出力装置６は、顧客の住所を地図の表示領域から除外し、定められた地図表示欄に表示する地図の領域をより狭い範囲に設定する処理を行う。このとき、単に、顧客の住所の地域を地図の表示領域から除外した地図を表示すると、顧客は、顧客の住所からの方角が分からない等、店舗の所在地の概要の把握が困難となる場合がある。そこで、広告主の各所在地点の近隣の公共施設や著名施設等のランドマークを併せて表示することにより、広告主の店舗の所在地の場所を分かり易く表示することができる。
【００８９】
具体的には、印刷データ出力装置６は、ランドマークデータベース１２に記憶されたランドマークデータの位置情報に含まれる緯度及び経度と、広告主の各所在地点の緯度及び経度とから、最も距離の短いランドマークを抽出する（ステップＳ４０９）。
次に、印刷データ出力装置６は、抽出されたランドマークの所在地の緯度及び経度を取得する（ステップＳ４１０）。
【００９０】
そして、印刷データ出力装置６は、抽出されたランドマーク及び広告主の所在地の緯度及び経度の全てを含む東西の距離ＬＥＷ及び南北の距離ＬＮＳを算出し（ステップＳ４１１）、その算出値を元に、下記の式（５）及び式（６）により東西方向及び南北方向の地図の縮尺を再度算出する（ステップＳ４１２）。尚、Ｌはランドマーク（landmark）を示している。
【００９１】
東西方向の縮尺＝ｘa／ＬＥＷ・・・（５）
（ａは０＜ａ＜１の範囲で任意に設定した調整値）
【００９２】
南北方向の縮尺＝ｙａ／ＬＮＳ・・・（６）
（ａは０＜ａ＜１の範囲で任意に設定した調整値）
【００９３】
印刷データ出力装置６は、得られた東西方向及び南北方向の地図の縮尺のうち、小さい値の縮尺をチラシに掲載する地図の縮尺として設定する（ステップＳ４１３）。そして、印刷データ出力装置６は、地図データの生成処理１のステップＳ３０６〜ステップＳ３０９の処理と同様の処理（ステップＳ４１３〜ステップＳ４１５）により、ランドマークを含む地図を印刷可能な地図データを生成して、印刷機７に送信される印刷データとして処理し、地図データの生成処理２を終える。
【００９４】
一方、ステップＳ４０８における比較の結果、算出された小さい値の縮尺が閾値ｂより大きい場合は、印刷データ出力装置６は、見やすい地図を表示可能であると判断し、地図データの生成処理１のステップＳ３０６〜ステップＳ３０９の処理と同様の処理（ステップＳ４１３〜ステップＳ４１５）により地図データを生成して、印刷機７に送信される印刷データとして処理し、地図データの生成処理２を終える。
【００９５】
上述の処理により地図データが生成されると、印刷データ出力装置６は、続いて、図７のステップＳ２０７へ進み、チラシ印刷データ、地図データ及び送り状印刷データを併合して印刷データとする。
印刷データ出力装置６は、印刷データを印刷機７に送信して（ステップＳ２０８）、処理を終了する。
印刷データ出力装置６から送信された印刷データを受信した印刷機７は、オンデマンド印刷により、個別共同チラシと、送付先の顧客の住所、氏名等を含む送り状を印刷する。そして、個別共同チラシは、印刷会社により顧客宛てに発送される。
印刷会社は、発送した個別共同チラシに使われた印刷データの回数や印刷スペース等の情報を広告主毎に集計して、広告主に印刷料金、宅配料金を請求する。
【００９６】
以上説明したように、本実施の形態のチラシ作成システム１によれば、顧客の希望に適合した顧客の関心の高いチラシのみを印刷して配送するので、宅配チラシの損失を抑え、レスポンス率の上昇が期待でき、広告費用に対する効率の良いサービスを提供することができる。
【００９７】
なお、上述の実施形態に記載されるものは本発明の一適用例であり、これに限定されない。その他、当業者であれば、本願で開示した技術的思想の範疇内において、各種の変更例または修正例に想到し得ることは明らかであり、それらについても当然に本発明の技術的範囲に属するものと了解される。
【符号の説明】
【００９８】
１・・・チラシ作成システム
２・・・チラシ管理サーバ
３・・・チラシ原稿登録サーバ
４・・・顧客データベース
５・・・チラシ編集装置
６・・・印刷データ出力装置
７・・・印刷機
８・・・顧客端末（顧客管理者端末）
９・・・広告主端末（広告主管理者端末）
１０ａ，１０ｂ，１０ｃ・・・ネットワーク
１１・・・地図データベース
１２・・・ランドマークデータベース
【図１】
0005799755.tif 000002
【図２】
0005799755.tif 000003
【図３】
0005799755.tif 000004
【図４】
0005799755.tif 000005
【図５】
0005799755.tif 000006
【図６】
0005799755.tif 000007
【図７】
0005799755.tif 000008
【図８】
0005799755.tif 000009
【図９】
0005799755.tif 000010
【図１０】
0005799755.tif 000011